(57)【要約】  発光システム１０は、光源（１００）、光透過量調整部（２００）、及び制御部（３００）を備えている。光源（１００）は、蛍光灯や電球であっても良いし、有機ＥＬ（Organic Electroluminescence）素子やＬＥＤ（Light Emitting Diode）素子であってもよい。光透過量調整部（２００）は、光源（１００）から空間（Ｓ）を隔てて配置されており、光の透過量を調整する。制御部（３００）は、光源（１００）が発光するタイミングに基づいて光透過量調整部（２００）を制御する。
2014115313.tif 000002
【特許請求の範囲】
【請求項１】
光源と、
前記光源から空間を隔てて配置され、光の透過量を調節する光透過量調整部と、
前記光源が発光するタイミングに基づいて前記光透過量調整部を制御する制御部と、
を備える発光システム。
【請求項２】
請求項１に記載の発光システムにおいて、
前記空間は、人が入る空間である発光システム。
【請求項３】
請求項１に記載の発光システムにおいて、
前記光源は、前記空間を内部に有する構造体の内側に位置しており、
前記光透過量調整部は、前記空間を仕切る壁に設けられた窓、又は前記構造体の前記空間と外部とを仕切る壁に設けられた窓に重なっている発光システム。
【請求項４】
請求項１〜３のいずれか一項に記載の発光システムにおいて、
前記制御部は、前記光源の発光時における前記光透過量調整部の光の透過量を、前記光源が発光していないときにおける前記光透過量調整部の光の透過量とは異ならせる発光システム。
【請求項５】
請求項４に記載の発光システムにおいて、
前記制御部は、前記発光するタイミングの開始前から、前記光透過量調整部の光の透過量を少なくする発光システム。
【請求項６】
請求項１〜４のいずれか一項に記載の発光システムにおいて、
前記光透過量調整部は、
２つの偏光層と
前記２つの偏光層の間に位置する液晶層と、
を備える発光システム。
【発明の詳細な説明】
【技術分野】
【０００１】
本発明は、発光システムに関する。【０００２】
光源は、例えば照明装置として様々な場面で使用されている。また、近年は、光源として有機ＥＬ（Organic Electroluminescence）素子やＬＥＤ（Light Emitting Diode）を用いるケースが増えてきている。【０００３】
例えば特許文献１において、発光パネルの発光層の一例として有機層を用いることが記載されている。特許文献１には、さらに、両面から光が出射する発光パネルの両面に光学フィルムを設けることが記載されている。これら光学フィルムは、透過する光の偏光方向が互いに直交するようになっている。これにより、発光パネルの背景が透けて見えることを抑制できる、と記載されている。【０００４】
また特許文献２には、赤色のＬＥＤ、緑色のＬＥＤ、及び青色のＬＥＤを有する光源の上に透過型の液晶パネルを配置した表示装置が記載されている。特許文献２には、さらに、ＬＥＤの発光強度をキャリブレーションする際に、赤色のＬＥＤ、緑色のＬＥＤ、及び青色のＬＥＤを時分割して駆動させることが記載されている。
【先行技術文献】
【特許文献】
【０００５】
【特許文献１】特開２００５−１９１０１５号公報
【特許文献２】特開２００７−２６５９８４号公報
【発明の概要】
【発明が解決しようとする課題】
【０００６】
光源をある空間の照明として使用することがある。このような場合において、空間には窓が設けられている場合が多い。一方、その光源からの光が窓の外に漏れないようにすることが求められるケースがある。一般的には、窓をブラインドやカーテン等の遮蔽物で覆うことにより、光の漏れを抑制している。しかし、遮蔽物の移動には手間を要する。【０００７】
本発明が解決しようとする課題としては、遮蔽物の移動を行わなくても、窓から光が漏れることを抑制できるようにすることが一例として挙げられる。
【課題を解決するための手段】
【０００８】
請求項１に記載の発明は、光源と、
前記光源から空間を隔てて配置され、光の透過量を調節する光透過量調整部と、
前記光源が発光するタイミングに基づいて前記光透過量調整部を制御する制御部と、
を備える発光システムである。
【図面の簡単な説明】
【０００９】
上述した目的、およびその他の目的、特徴および利点は、以下に述べる好適な実施の形態、およびそれに付随する以下の図面によってさらに明らかになる。【００１０】
【図１】実施形態に係る発光システムの構成を示す図である。
【図２】実施例１に係る発光システムの構成を示す図である。
【図３】制御部による光透過量調整部の制御の第１例を示す図である。
【図４】制御部による光透過量調整部の制御の第２例を示す図である。
【図５】実施例２に係る発光システムの構成を示す図である。
【図６】制御部が複数の光透過量調整部をまとめて制御する場合の例を示す図である。
【図７】実施例３に係る発光システムの構成を示す図である。
【図８】実施例４に係る発光システムの構成を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
なお、以下に示す説明において、制御部３００は、ハードウエア単位の構成ではなく、機能単位のブロックを示している。制御部３００の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
図１は、実施形態に係る発光システム１０の構成を示す図である。実施形態に係る発光システム１０は、光源１００、光透過量調整部２００、及び制御部３００を備えている。光透過量調整部２００は、光源１００から空間Ｓを隔てて配置されており、光の透過量を調整する。制御部３００は、光源１００が発光するタイミングに基づいて光透過量調整部２００を制御する。
【００１４】
光源１００は、空間Ｓを照明するために用いられている。空間Ｓは、人が入る空間であり、例えば建物、車、電車、又は飛行機などの構造体の内部である。光源100は、比較的短時間に発光と非発光を切り替えられる、有機ＥＬ（Organic Electroluminescence）素子やＬＥＤ（Light Emitting Diode）素子等が好ましい。
【００１５】
光透過量調整部２００は、例えば構造体の窓の少なくとも一部に設けられている。光透過量調整部２００は、例えば液晶を有している。この場合、光透過量調整部２００は、液晶の配向方向を制御することにより、光透過量調整部２００における光の透過量を制御する。ただし、光透過量調整部２００は、他の方式、例えばＭＥＭＳ（Micro Electro Mechanical System）で駆動するシャッターを用いて光の透過量を制御しても良い。
【００１６】
本実施形態によれば制御部３００は、光源１００が発光するタイミングに基づいて、光透過量調整部２００を制御する。このため、光透過量調整部２００は光源１００が発光する光の透過量を変更することができる。従って、光透過量調整部２００が構造体の窓に取り付けられている場合、ブラインドやカーテン等の遮蔽物を移動させなくても、光源１００からの光が窓から漏れることを抑制でき、かつ中から外を見ることができる。
【実施例】
【００１７】
（実施例１）
図２は、実施例１に係る発光システム１０の構成を示す図である。本実施例に係る発光システム１０において、光透過量調整部２００は、液晶層２１０及び偏光部２３２，２３４を有している。液晶層２１０は、偏光部２３２，２３４の間に位置している。偏光部２３２の偏光方向は、偏光部２３４の偏光方向に直交している。また、液晶層２１０は第１電極２２２及び第２電極２２４によって狭持されている。そして第１電極２２２及び第２電極２２４は、制御部３００に接続されている。このようにして、液晶層２１０における液晶の配向方向は、制御部３００によって制御される。【００１８】
図３は、制御部３００による光透過量調整部２００の制御の第１例を示す図である。制御部３００は、光源１００が発光しているときにおける光透過量調整部２００の光の透過量を、光源１００が発光していないときにおける光透過量調整部２００の光の透過量とは異ならせる。本図に示す例において、制御部３００は、光源１００が発光するタイミングにおいては、光透過量調整部２００の光の透過量を少なくし（好ましくは最小値、例えば５％以下）、それ以外のタイミングにおいては、光透過量調整部２００の光の透過量を大きくする（好ましくは最大）。このようにすると、光源１００が発光しないタイミングにおいては、人は、透光性基板１１０の第１面側及び第２面側の双方から光源１００の背景を認識することができる。また、透光性基板１１０の第１面側に光源１００からの光が出射することを抑制できるため、透光性基板１１０の第１面側にいる人に、光源１００の存在を意識させにくくすることができる。【００１９】
さらに、光源１００を３０Ｈｚ以上で点滅させた場合、透光性基板１１０の第２面側にいる人には光源１００が連続して発光していると認識させることができる。なお、この点滅のサイクルはより高速であるのが好ましい。【００２０】
図４は、制御部３００による光透過量調整部２００の制御の第２例を示す図である。本図に示す例は、制御部３００が、光源１００の発光が開始するタイミングよりも前に、光透過量調整部２００の光透過量を少なく（好ましくは最小値、例えば５％以下）する点を除いて、図３に示した例と同様である。このようにすると、例えば信号を入力してから液晶の配向方向が変化するまでに時間を要しても、透光性基板１１０の第２面側から光が出射されることを抑制できる。【００２１】
本実施例によれば、光透過量調整部２００は、液晶層２１０及び偏光部２３２，２３４を有している。このため、制御部３００は、容易に光透過量調整部２００の光透過率を制御することができる。【００２２】
（実施例２）
図５は、実施例２に係る発光システム１０の構成を示す図である。本実施例に係る発光システム１０において、光源１００は、構造体４００、例えば建物内の部屋の中に位置している。本図に示す例では、光源１００は、部屋の内壁、例えば天井に取り付けられている。また光透過量調整部２００は、構造体４００の窓４０２に重ねられている。なお、構造体４００に複数の窓４０２が設けられている場合、これら複数の窓４０２の全てに光透過量調整部２００が重ねられていて良いし、一部の窓４０２にのみ光透過量調整部２００が重ねられていても良い。そして制御部３００は、複数の光透過量調整部２００をまとめて制御していても良い。なお、制御部３００は構造体４００の内部に配置されていても良いし、構造体４００の外部に配置されていても良い。なお、光透過量調整部２００は、窓４０２のうち構造体４００の内側を向いている面に重ねられているのが好ましい。【００２３】
図６は、制御部３００が複数の光透過量調整部２００をまとめて制御する場合の例を示している。本図に示す例において、構造体４００はビルであり、側面に複数の窓４０２を有している。そして夜など、外の明るさが基準値以下になった場合において、制御部３００は、複数の光透過量調整部２００を制御することにより、構造体４００の側面に絵や文字を表示させる。なお、窓４０２のうち光を外部に漏らしたくないものについて、制御部３００は、常に光透過量調整部２００の光の透過量を少なくしてもよい。また制御部３００は、光源１００が発光するタイミングにおいては、光透過量調整部２００の光の透過量を少なくし、それ以外のタイミングにおいては、光透過量調整部２００の光の透過量を大きくしてもよい。後者の場合、構造体４００の内部にいる人は、窓４０２から外部の景色を見ることができる。【００２４】
なお、制御部３００は、外の明るさが基準以上である場合、全ての光透過量調整部２００を、光が透過する状態にしても良い。そして、外の明るさが基準未満になったときに、図６に示した制御を行っても良い。この場合、制御部３００は、外の明るさを検出するセンサからの出力に基づいて、外の明るさを判断しても良い。【００２５】
本実施例によれば、実施形態と同様の効果が得られる。また、容易に構造体４００の側面に絵や文字を表示させることができる。【００２６】
（実施例３）
図７は、実施例３に係る発光システム１０の構成を示す図である。本図に示す例において、構造体４００は列車（例えば電車）の先頭車両又は末尾の車両であり、空間Ｓは、車両の内部の空間のうち乗客用の座席が設けられている領域である。光源１００は空間Ｓの天井に設けられている。そして光透過量調整部２００は、空間Ｓと、運転室又は車掌室とを仕切る壁の窓４０３に重ねられている。【００２７】
制御部３００は、構造体４００の内部に搭載されている。そして制御部３００は、実施例１と同様に、光源１００を例えば３０Ｈｚ以上の周波数で点滅させる。そして制御部３００は、光源１００が発光するタイミングにおいては、光透過量調整部２００の光の透過量を少なくし、それ以外のタイミングにおいては、光透過量調整部２００の光の透過量を大きくする。【００２８】
このため、本実施例によれば、光源１００からの光が、窓４０３及び運転席の前に設けられた窓４０４を介して外に漏れることを抑制できる。このため、構造体４００の反対車線を走る車両の運転手は、光源１００からの光を気にしなくて済む。また、光源１００が点灯していないタイミングにおいて、光透過量調整部２００は光を透過するため、空間Ｓにいる乗客は、窓４０３，４０４を介して外の景色を見ることができる。また、本実施例を採用しない場合、運転手は、車両がトンネルに入る時にいちいちブラインドを下げる必要があるが、本実施例を採用すると、その手間を省くことができる。なお、制御部３００は、車両がトンネルに入ったか否かは、例えばＧＰＳや軌道回路などの列車位置判別装置を用いて判断することができる。そして制御部３００は、運転手による操作が行われなくても、光透過量調整部２００のOn/Offを制御することができる。【００２９】
（実施例４）
図８は、実施例４に係る発光システム１０の構成を示す図である。本図に示す例において、構造体４００は列車（例えば電車）の車両であり、空間Ｓは、車両の内部の空間のうち乗客用の座席が設けられている領域である。光源１００は空間Ｓの天井に設けられている。そして光透過量調整部２００は、車両の側面に設けられた複数の窓４０５のそれぞれに取り付けられている。【００３０】
光透過量調整部２００は、一部が高さ方向に、複数の領域２０２に分割されている。領域２０２は、構造体４００の進行方向に対して１列のみ設けられていても良いし、複数列設けられていても良い。そして制御部３００は、領域２０２別に光の透過量を制御することができる。また、制御部３００は、構造体４００の内部に搭載されている。【００３１】
本実施例において、制御部３００は、車両すなわち構造体４００の移動速度に合わせて、複数の光透過量調整部２００のそれぞれが有する複数の領域２０２を制御する。これにより、車両の外側に位置する人に、文字や模様を認識させることができる。特に領域２０２が１列で配置されている場合は、人に対する車両の相対速度が速い場合（例えば人の近くの車両を通る場合）において、残像を用いて人に文字や模様を認識させることができる。また、領域２０２が複数列で配置されている場合（すなわちマトリクスとなるように配置されている場合）は、人に対する車両の相対速度が遅い場合（例えば人から離れた場所を車両が通る場合）、人は直接文字や模様を認識させることができる。なお、いずれの場合も、車両の乗客は、光透過量調整部２００の動作を認識しないで済む。【００３２】
なお、一つの光透過量調整部２００に複数の領域２０２がマトリクス状に形成されている場合、制御部３００は、これらマトリクス状の領域２０２を制御することにより、一つの光透過量調整部２００で文字や模様を表示させても良い。【００３３】
以上、図面を参照して実施形態及び実施例について述べたが、これらは本発明の例示であり、上記以外の様々な構成を採用することもできる。
【図１】
2014115313.tif 000003
【図２】
2014115313.tif 000004
【図３】
2014115313.tif 000005
【図４】
2014115313.tif 000006
【図５】
2014115313.tif 000007
【図６】
2014115313.tif 000008
【図７】
2014115313.tif 000009
【図８】
2014115313.tif 000010
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
光源と、
前記光源から空間を隔てて配置され、光の透過量を調節する光透過量調整部と、
前記光源が発光するタイミングに基づいて前記光透過量調整部を制御する制御部と、
を備え、
前記制御部は、前記発光が行われている間における前記光透過量調整部の光の透過量を前記光源の非発光時よりも少なくし、かつ、前記発光の開始前に、前記光透過量調整部の光の透過量を前記光源の非発光時より少なくする発光システム。
【請求項２】
請求項１に記載の発光システムにおいて、
前記空間は、人が入る空間である発光システム。
【請求項３】
請求項１に記載の発光システムにおいて、
前記光源は、前記空間を内部に有する構造体の内側に位置しており、
前記光透過量調整部は、前記空間を仕切る壁に設けられた窓、又は前記構造体の前記空間と外部とを仕切る壁に設けられた窓に重なっている発光システム。
【請求項４】
請求項１〜３のいずれか一項に記載の発光システムにおいて、
前記光透過量調整部は、
２つの偏光層と
前記２つの偏光層の間に位置する液晶層と、
を備える発光システム。
【国際調査報告】
2014115313.tif 000011
2014115313.tif 000012
2014115313.tif 000013
2014115313.tif 000014
2014115313.tif 000015
2014115313.tif 000016